(57)【要約】【課題】本発明は、厚みが薄く使い勝手に優れる両方向引き出し型のスライドレールを提供することを課題とする。【解決手段】  第１アウターメンバーと第２アウターメンバーと、第１インナーメンバーと第２インナーメンバーを一体的に形成したインナーメンバー体を備える両方向引き出し型スライドレールの第１アウターメンバーと第２アウターメンバーをそれぞれ上下方向に離して配置し、スライドレールの収縮状態でインナーメンバーの単独での移動を防止し、伸長したスライドレールの収縮時にインナーメンバーの最収縮状態を越えてインナーメンバーが反対側に伸長することを防止する移動防止ストッパーを、上下方向に配置される第１インナーメンバーと第２インナーメンバーの上下間に設ける。【選択図】    図２
2020130878.tif 000002
【特許請求の範囲】
【請求項１】
第１アウターメンバーと第２アウターメンバーと、第１アウターメンバーにボールにて摺動自在に保持される第１インナーメンバーと、第２アウターメンバーにボールにて摺動自在に保持される第２インナーメンバーと、第１アウターメンバー側のボールを回転自在に保持する第１ボールリテーナと、第２アウターメンバー側のボールを回転自在に保持する第２ボールリテーナとを有し、第１インナーメンバーと第２インナーメンバーを一体的に形成し、該インナーメンバーに対して、第１アウターメンバーと第２アウターメンバーのそれぞれが前後方向両側に摺動可能とされる両方向引き出し型スライドレールにおいて、スライドレールの収縮状態でインナーメンバーの単独での移動を防止するとともに、伸長移動するアウターメンバーによって、該伸長移動側と反対方向側に、インナーメンバーの最収縮状態を越えてインナーメンバーが伸長することを防止するストッパー機構が作動する移動防止ストッパーを有し、第１アウターメンバーと第２アウターメンバーがそれぞれ上下方向に離れて配置され、第１インナーメンバーと第２インナーメンバーが、該アウターメンバーの配置に合わせて上下方向に配置された状態で一体移動可能に連結されスライドレールが形成されるとともに、前記移動防止ストッパーが、上下方向に配置される第１インナーメンバーと第２インナーメンバーの上下間に設けられることを特徴とする両方向引き出し型スライドレール。
【請求項２】
移動防止ストッパーは、第１インナーメンバーと第２インナーメンバーとを連結する連結部材に固定され、少なくとも該固定部からスライドレールの伸長側に延伸する支持部と、支持部先端で上下方向に配置される第１アウターメンバーあるいは第２アウターメンバーの端部に係止する係止体を有し、スライドレールの伸長時に、第１アウターメンバーと第２アウターメンバーの屈折縁のうち、互いに向かい合う側の屈折縁であって、かつ、互いに向かい合う側の面で押圧される受圧部を備え、該受圧部の押圧によって、ストッパー機構が作動する請求項１に記載の両方向引き出し型スライドレール。
【請求項３】
移動防止ストッパーの受圧部を押圧する第１アウターメンバー、第２アウターメンバーの押圧面は、ボール摺動溝と対向するアウターメンバーの屈折縁の外面側としたことを特徴とする請求項２に記載の両方向引き出し型スライドレール。
【発明の詳細な説明】
【技術分野】
【０００１】
本発明は、第１アウターメンバーと第２アウターメンバーと、第１アウターメンバーにボールにて摺動自在に保持される第１インナーメンバーと、同様に第２アウターメンバーにボールにて摺動自在に保持される第２インナーメンバーと、第１アウターメンバー側のボールを回転自在に保持する第１ボールリテーナと、第２アウターメンバー側のボールを回転自在に保持する第２ボールリテーナと、を有し、第１インナーメンバーと第２インナーメンバーを連結することにより、スライドレールを２段階に伸長させ、スライド量を大きくしたダブルスライドレールであって、前後方向の両方向に引き出し（伸長・収縮）可能なスライドレールに関するものである。
【背景技術】
【０００２】
従来、上記のスライド量を大きくしたダブルスライドレールで前後方向の両方向に引き出し（伸長・収縮）可能なスライドレールにおいて、インナーメンバーの摺動を規制するものが本願の出願人によって実施されている（特許文献１参照）。
このスライドレールは、スライドレールが引き出された伸長状態からスライドレールを収縮させた場合に発生するインナーメンバーが伸長側と反対側に突き出る現象を前後端に取り付けられた突出防止ストッパーで規制するものである。
しかしながら、インナーメンバーは互いに背中合わせに重合している形態のため、水平方向の厚みが厚くなる問題があった。
例えばこのようなスライドレールを引き出しに使用した場合、スライドレールの厚みによって引き出しの巾寸法が小さくなる問題がある。
【先行技術文献】
【特許文献】
【０００３】
【特許文献１】特許３７１３４０３号公報
【発明の概要】
【発明が解決しようとする課題】
【０００４】
本発明は、上記問題に鑑み、厚みが薄く使い勝手に優れる両方向引き出し型のスライドレールを提供することを課題とする。
【課題を解決するための手段】
【０００５】
上記課題を解決する為、本発明が第１の手段として構成したところは、第１アウターメンバーと第２アウターメンバーと、第１アウターメンバーにボールにて摺動自在に保持される第１インナーメンバーと、第２アウターメンバーにボールにて摺動自在に保持される第２インナーメンバーと、第１アウターメンバー側のボールを回転自在に保持する第１ボールリテーナと、第２アウターメンバー側のボールを回転自在に保持する第２ボールリテーナとを有し、第１インナーメンバーと第２インナーメンバーを一体的に形成し、該インナーメンバーに対して、第１アウターメンバーと第２アウターメンバーのそれぞれが前後方向両側に摺動可能とされる両方向引き出し型スライドレールにおいて、スライドレールの収縮状態でインナーメンバーの単独での移動を防止するとともに、伸長移動するアウターメンバーによって、該伸長移動側と反対方向側に、インナーメンバーの最収縮状態を越えてインナーメンバーが伸長することを防止するストッパー機構が作動する移動防止ストッパーを有し、第１アウターメンバーと第２アウターメンバーがそれぞれ上下方向に離れて配置され、第１インナーメンバーと第２インナーメンバーが、該アウターメンバーの配置に合わせて上下方向に配置された状態で一体移動可能に連結されスライドレールが形成されるとともに、前記移動防止ストッパーが、上下方向に配置される第１インナーメンバーと第２インナーメンバーの上下間に設けられるものである。
【０００６】
上記課題を解決する為、本発明が第２の手段として構成したところは、第１の手段に加え、移動防止ストッパーは、第１インナーメンバーと第２インナーメンバーとを連結する連結部材に固定され、少なくとも該固定部からスライドレールの伸長側に延伸する支持部と、支持部先端で上下方向に配置される第１アウターメンバーあるいは第２アウターメンバーの端部に係止する係止体を有し、スライドレールの伸長時に、第１アウターメンバーと第２アウターメンバーの互いに向かい合う側の屈折縁であって、かつ、互いに向かい合う側の面で押圧される受圧部を備え、該受圧部の押圧によって、ストッパー機構が作動するものである。
【０００７】
上記課題を解決する為、本発明が第３の手段として構成したところは、第２の手段に加え、移動防止ストッパーの受圧部を押圧する第１アウターメンバー、第２アウターメンバーの押圧面は、ボール摺動溝と対向するアウターメンバーの屈折縁の外面側としたものである。
【発明の効果】
【０００８】
本発明の第１の手段として構成したところによると、第１アウターメンバーと第２アウターメンバーを上下方向に離間して配置できるので、各アウターメンバー部の水平（左右）方向の寸法を薄くすることができる。
【０００９】
本発明の第２の手段として構成したところによると、第１の手段として構成したところ、に加え、簡単な構成で、上下方向に離間して配置された第１インナーメンバーと第２インナーメンバー間に移動防止ストッパーを配置できる。
【００１０】
本発明の第３の手段として構成したところによると、第２の手段として構成したところ、に加え、第１アウターメンバーとインナーメンバー体と第２アウターメンバーの上下間に移動防止ストッパーを納めることができるので、移動防止ストッパーの水平（左右）方向の寸法を薄くすることができるので、スライドレール全体として水平（左右）方向の寸法を薄くすることができる。
また、ボール摺動面を使用しないので、ボール摺動面を傷つけることや、ボール摺動面に塗布されたグリスが除去されることなどを防止できる。
【図面の簡単な説明】
【００１１】
【図１】スライドレールの最収縮状態の斜視図。
【図２】スライドレールの最伸長状態の斜視図。
【図３】スライドレールの要部断面図。
【図４】スライドレールの分解斜視図。
【図５】図４のＡ部拡大図。
【図６】移動防止ストッパーの分解斜視図。
【図７】スライドレールの最収縮状態を示す説明図。
【図８】スライドレールの伸長過程を示す説明図。
【図９】スライドレールの最伸長状態を示す説明図。
【図１０】スライドレールの収縮過程を示す説明図。
【図１１】スライドレールの第２実施例を示す側面図。
【図１２】移動防止ストッパーの詳細図。
【発明を実施するための最良の形態】
【００１２】
第１アウターメンバーと第２アウターメンバーと、第１アウターメンバーにボールにて摺動自在に保持される第１インナーメンバーと、第２アウターメンバーにボールにて摺動自在に保持される第２インナーメンバーと、第１アウターメンバー側のボールを回転自在に保持する第１ボールリテーナと、第２アウターメンバー側のボールを回転自在に保持する第２ボールリテーナとを有し、第１インナーメンバーと第２インナーメンバーとを連結する連結部材にて第１インナーメンバーと第２インナーメンバーを一体的に形成し、該インナーメンバーに対して、第１アウターメンバーと第２アウターメンバーのそれぞれが前後方向両側に摺動可能とされる両方向引き出し型スライドレールにおいて、スライドレールの収縮状態でインナーメンバーの単独での移動を防止するとともに、伸長移動するアウターメンバーによって、該伸長移動側と反対方向側に、インナーメンバーの最収縮状態を越えてインナーメンバーが伸長することを防止するストッパー機構が作動する移動防止ストッパーを備え、第１アウターメンバーと第２アウターメンバーをそれぞれ上下方向に離して配置し、第１インナーメンバーと第２インナーメンバーを、該アウターメンバーの配置に合わせて上下方向に配置した状態で一体移動可能に連結部材で連結固定し、連結部材の第１インナーメンバーと第２インナーメンバーの上下間に移動防止ストッパーを固定し、移動防止ストッパーに該固定部からスライドレールの伸長側に延伸する支持部と、支持部先端で上下方向に配置される第１アウターメンバーあるいは第２アウターメンバーの端部に係止する係止体を形成し、係止体にスライドレールの伸長時に、第１アウターメンバーと第２アウターメンバーの互いに対向する側の屈折縁であって、かつ、互いに対向する側の面で押圧される受圧部を形成し、該受圧部をアウターメンバーのボール摺動溝と対向するアウターメンバーの屈折縁の外面側で押圧することによって、ストッパー機構が作動する両方向引き出し型スライドレール。
【実施例】
【００１３】
以下、本発明を添付図面に基づいて説明する。  尚、便宜的に図７における左右方向、すなわち摺動方向を前後方向、図３における上下方向を高さ方向とし、図３における左右方向を水平方向として説明する。  図１において、符号１００は、本発明のスライドレールを示し、スライドレール１００は、第１アウターメンバー１と、第１アウターメンバー１から上下方向に離間して設けられた第２アウターメンバー２と、第１アウターメンバー１に嵌挿自在に設けられた第１インナーメンバー３と、第２アウターメンバー２に嵌挿自在に設けられた第２インナーメンバー４と、第１アウターメンバー１と第１インナーメンバー３間に設けられた第１ボールリテーナ５と、第２アウターメンバー２と第２インナーメンバー４間に設けられた第２ボールリテーナ６と、第１アウターメンバー１と第１インナーメンバー３間で第１ボールリテーナ５に回転自在に保持されたボール５Ａ・・・と、第２インナーメンバー４と第２アウターメンバー２間で、第２ボールリテーナ６に回転自在に保持されたボール６Ａ・・・と、第１インナーメンバー３と第２インナーメンバー４を連結して構成されるインナーメンバー体７とインナーメンバー体７の前後端部に設けられた第１移動防止ストッパー８、第２移動防止ストッパー９より構成されている。
【００１４】
第１アウターメンバー１は、帯状金属板からなる基板１１と、該基板１１の短手側両端部を内向き円弧状に湾曲して形成された内面長手方向にボール摺動溝１２、１２を有する屈折縁１３、１３より断面略Ｃ字形に形成されている。そして、基板１１の前後端部に、基板１１の一部を内方に折り曲げた、第１インナーメンバー３のストッパー１４、１４が設けられている。
【００１５】
第２アウターメンバー２は、帯状金属板からなる基板２１と、該基板２１の短手側両端部を内向き円弧状に湾曲して形成された内面長手方向にボール摺動溝２２、２２を有する屈折縁２３、２３より断面略Ｃ字形に形成されている。そして、基板２１の前後端部に、基板２１の一部を内方に折り曲げた、第２インナーメンバー４のストッパー２４、２４が設けられている。
尚、実施例においては、第２アウターメンバー２は、第１アウターメンバー１と同型であるが、スライドレールを使用する物品の仕様により、長さや上下高さが変更されることがある。
【００１６】
第１インナーメンバー３と第２インナーメンバー４は同形体なので、第１インナーメンバー３についてのみ説明する。
第１インナーメンバー３は、第１アウターメンバー１より短い長さで、第１アウターメンバー１に挿入可能な大きさの帯状金属板よりなる基板３１と、基板３１の短手側の両端部を外向き円弧状に湾曲して形成された、外面長手方向にボール摺動溝３２、３２を有する屈折縁３３、３３より、断面Ｃ字形に形成されている。
そして、基板３１の前後端が折り曲げられて、第１ボールリテーナ５の伸長側端部と接触するストッパー部３４、３４が形成される。
【００１７】
第２インナーメンバー４は、第２アウターメンバー２より短い長さで、第２アウターメンバー２に挿入可能な大きさの帯状金属板よりなる基板４１と、基板４１の短手側の両端部を外向き円弧状に湾曲して形成された、外面長手方向にボール摺動溝４２、４２を有する屈折縁４３、４３より、断面Ｃ字形に形成されている。
そして、基板４１の前後端が折り曲げられて、第２ボールリテーナ６の伸長側端部と接触するストッパー部４４、４４が形成される
尚、実施例においては、第２インナーメンバー４は、第１インナーメンバー３と同型であるが、スライドレールを使用する物品の仕様により、アウターメンバーに合わせて、長さや上下高さが変更されることがある。
【００１８】
そして、第１インナーメンバー３と第２インナーメンバー４は、インナーメンバー連結部材７０に固定されることにより一体的に形成されて、インナーメンバー体７とされる。
インナーメンバー連結部材７０は、鋼板製で第１インナーメンバー３の摺動方向長さと略同じ長さに形成される板状長方形の第１インナーメンバー連結部７０１と、第１インナーメンバー連結部７０１の下端部を水平に折り曲げ形成されるインナーメンバー体補強部７０２と、インナーメンバー体補強部７０２の第１インナーメンバー連結部７０１側端の他方端で下方に折り曲げられ形成される第２インナーメンバー４の摺動方向長さと略同じ長さに形成される板状長方形の第２インナーメンバー連結部７０３で形成される（図４参照）。
【００１９】
インナーメンバー体７は図３、図４に示されるように、インナーメンバー連結部材７０の第１インナーメンバー連結部７０１のインナーメンバー体補強部７０２側の上端寄りに第１インナーメンバー３が基板３１部で固定され、第２インナーメンバー連結部７０３のインナーメンバー体補強部７０２側の下端寄りに第２インナーメンバー４が基板４１部で固定され構成される。
すなわち、第１インナーメンバー３と第２インナーメンバー４は、インナーメンバー連結部材７０を介して上下方向に並んで配置されることとなる。
【００２０】
第１ボールリテーナ５は、帯状金属板にて、上記第１アウターメンバー１、第１インナーメンバー３間に挿入可能な大きさで、かつ、第１アウターメンバー１の３分１程度の長さとされ、基板５１と、屈折縁５２、５２より断面コ字状に形成され、屈折縁５２、５２の長手方向数箇所にそれぞれ複数個のボール５Ａ・・・が回転自在に保持される。
【００２１】
第２ボールリテーナ６は、帯状金属板にて、上記第２アウターメンバー２、第２インナーメンバー４間に挿入可能な大きさで、かつ、第２アウターメンバー２の３分１程度の長さとされ、基板６１と、屈折縁６２、６２より断面コ字状に形成され、屈折縁６２、６２の長手方向数箇所にそれぞれ複数個のボール６Ａ・・・が回転自在に保持される。
尚、実施例においては、第２ボールリテーナ６は、第１ボールリテーナ５と同型であるが、スライドレールを使用する物品の仕様により、アウターメンバーに合わせて、長さや上下高さが変更されることがある。
【００２２】
第１移動防止ストッパー８と第２移動防止ストッパー９は同型であるので第１移動防止ストッパー８についてのみ説明する。
第１移動防止ストッパー８は、ストッパー本体８０とストッパー本体８０に回転軸８０２、８０２を介して回転自在に軸支されるローラー８０１、８０１で構成される。
【００２３】
ストッパー本体８０は、図６で示されるように、固定貫通孔８１１ａ、８１１ａを有し、上下方向に離間して配置する脚部８１１、８１１と、脚部８１１、８１１の離間部によって形成される切り欠き８１２を有したコ字状を成す固定部８１と、固定部８１からスライドレールの引き出し方向に延伸する角型棒状の弾性部８２と、弾性部８２の先端部で左右方向に離間して配置され、それぞれが上下方向に延伸する腕部８３１、８３１と、腕部８３１、８３１に水平方向に貫通して設けられる固定軸孔８３１ａ、８３１ａと、同じく腕部８３１、８３１にローラー８０１、８０１が挿入可能な凹部８３２が形成されるローラー保持部８３が合成樹脂にて一体的に形成されているものである。
【００２４】
ローラー８０１は、合成樹脂性で中心に貫通軸孔８０１ａを有した円筒状に形成されるものである。
そして、ストッパー本体８０の凹部８３２の所定の位置に、ローラー８０１、８０１を挿入し、固定軸孔８３１ａ、８３１ａから回転軸８０２を差込み、ローラー８０１の貫通軸孔８０１ａを貫通させ、対向側の固定軸孔８３１ａ、８３１ａまで差込み、回転軸８０２の先端を回転軸８０２が腕部８３１、８３１から脱落しないようにつぶして固定する。この状態で、ローラー８１は、水平軸を中心軸として回転可能にストッパー本体８０に取り付けられる。
【００２５】
第１アウターメンバー１に複数のボール５Ａを保持した第１ボールリテーナ５が、第１アウターメンバー１内を摺動可能に取り付けられ、第１アウターメンバー１のストッパー１４が切り起こされる。ストッパー１４と第１ボールリテーナ５の端面が接触することにより第１ボールリテーナ５が第１アウターメンバー１の端面から脱落することを防止している。
【００２６】
そして、上下で対向配置される複数のボール５Ａ間にインナーメンバー体７の第１インナーメンバー３を第１ボールリテーナ５の端部からスライドさせながら挿入する。
そして、第１インナーメンバー３の端部のストッパー３４を折り曲げる。前述のとおり、第１ボールリテーナ５が第１アウターメンバー１の端面から脱落することを防止しているから、ストッパー３４と第１ボールリテーナ５の端面が接触することにより第１インナーメンバー３が第１アウターメンバー１の端面から脱落することを防止できる。
このようなボールリテーナでボールを保持したスライドレールの場合、アウターメンバーあるいはインナーメンバーの摺動移動量の約半分の移動量でボールリテーナもボールを転動させながら移動する。
【００２７】
この状態で、インナーメンバー体７を固定側とした場合、第１アウターメンバー１は、第１インナーメンバー３の前後方向いずれにも突き出し摺動可能となる。
そして、第１ボールリテーナ５の摺動方向の端面が第１インナーメンバー３の摺動方向のストッパー３４と接触し、第１ボールリテーナ５の移動が停止し、第１アウターメンバー１の摺動方向と反対側のストッパー１４が第１ボールリテーナ５の摺動方向と反対側の端面に接触し、第１アウターメンバー１の移動が停止し、第１アウターメンバー１は第１インナーメンバー３に対して最大伸長状態となる。
当然ながら、第１アウターメンバー１を固定側とした場合、第１インナーメンバー３は、第１アウターメンバー１の前後方向いずれにも突き出し摺動可能となる。
尚、第１インナーメンバー３のストッパー３４を無くして、第１インナーメンバー連結部７０１の端部も折り曲げ縁を設け、ストッパー３４と同じ機能を持たせてもよい。
【００２８】
そして、第２アウターメンバー２、第２ボールリテーナ６、第２インナーメンバー４も同様に組み付けられる。
前述のとおり、第１インナーメンバー３と第２インナーメンバー４は、インナーメンバー連結部材７０を介して上下方向に並んで配置されているから、各インナーメンバーに合わせて第１アウターメンバー１と第２アウターメンバー２も上下方向に並んで配置される。
【００２９】
そして、図７に示すように第１アウターメンバー１とインナーメンバー体７と第２アウターメンバー２のそれぞれの前後方向の中心が一致した状態がスライドレール１００の最収縮状態である。
この状態で、第１アウターメンバー１を固定側として、第２アウターメンバー２を移動側とした場合、第２アウターメンバー２を伸長させると前述の通り、第２インナーメンバー４に対して、第２アウターメンバー２が最伸長状態となる（図８に示す状態）。そして、さらに第２アウターメンバー２を伸長させると、第２アウターメンバー２の収縮側のストッパー２４によって第２インナーメンバー４（インナーメンバー体７）が伸長側に押し出される。第２インナーメンバー４（インナーメンバー体７）が伸長側に押し出されると第１インナーメンバー３が、固定側の第１アウターメンバー２に対して伸長側に摺動する。
そして、前述のとおり、第１インナーメンバー３が第１アウターメンバー１に対して最大伸長状態になり、スライドレール１００は最大伸長状態となる（図９に示す状態）。
第２アウターメンバー２を反対側に伸長させても同様の作用によってスライドレール１００は反対側で最大伸長状態となるので、スライドレール１００は両方に引き出すことが可能となる。
【００３０】
スライドレール１００を、このスライドレール１００の最大伸長状態から収縮させていくと、インナーメンバー体７が最収縮状態を超えて収縮方向側に突き出してしまうことがあるので、このインナーメンバー体７の突き出しを第１移動防止ストッパー８と第２移動防止ストッパー９で防止する。
【００３１】
第１移動防止ストッパー８を、固定部８１の切り欠き８１２にインナーメンバー連結部材７０のインナーメンバー体補強部７０２の端部が差し込まれるようにインナーメンバー連結部材７０の前方端面から差し込む。この状態で、脚部８１１、８１１でインナーメンバー体補強部７０２を上下から挟み込んだ状態で、かつ、脚部８１１、８１１と第１インナーメンバー連結部７０１と、第２インナーメンバー連結部７０３のそれぞれのインナーメンバーの取り付け面側が面接触した状態となる。
そして、第１インナーメンバー連結部７０１と、第２インナーメンバー連結部にそれぞれ設けられた取り付け孔と、脚部８１１の固定貫通孔８１１ａを使用して、適宜、リベットやネジなどでインナーメンバー体７とストッパー本体の固定部８１は固定される。
【００３２】
すなわち、脚部８１１、８１１でインナーメンバー体補強部７０２を上下方向から挟み込むので、第１移動防止ストッパー８の固定部８１の上下方向の振れを防止でき、かつ、インナーメンバー体補強部７０２の水平方向の第１インナーメンバー連結部７０１の第１インナーメンバー３の取り付け側面と第２インナーメンバー連結部７０３の第２インナーメンバー４の取り付け側面間の寸法と、第１移動防止ストッパー８の脚部８１１の水平方向の厚み寸法は同じに設定され、第１インナーメンバー連結部７０１と第２インナーメンバー連結部７０３に脚部８１１、８１１が挟まれるように作用するから、第１移動防止ストッパー８の固定部８１の水平方向の振れも防止できる。
【００３３】
また、第１移動防止ストッパー８のローラー８０１、８０１は、固定部からそれぞれ上下方向に突出した状態となる。そして、ローラー８０１はアウターメンバーの端部に係止する係止体であって、スライドレール１００が最収縮状態で、上側のローラー８０１の一部が第１アウターメンバー１の下側の屈折縁１３の端面のすぐ前方に位置し、下側のローラー８０１の一部が第２アウターメンバー２の上側の屈折縁１３の端面のすぐ前方に位置する。
このため、それぞれのアウターメンバーは、伸長するとローラー８０１に接触するので、アウターメンバーは容易には伸長できない。
【００３４】
そして、インナーメンバー体７の前後方向の対向端側にも第１移動防止ストッパー８と同形の第２移動防止ストッパー９が第１移動防止ストッパー８と対称に取り付けられる。
この状態でスライドレール１００は、第１アウターメンバー１と第２アウターメンバー２が上下方向に配置される。そのため、第１アウターメンバー１と第２アウターメンバー２が水平方向（左右方向）で重合することがないからスライドレールの水平方向（左右方向）の厚みを抑えることが可能である。合わせて、第１移動防止ストッパー８と第２移動防止ストッパー９の水平方向の厚みも、スライドレールの厚み寸法内に納まる寸法に設定される。
したがって、第１アウターメンバー１や第２アウターメンバー２に取り付けられる物品は、第１アウターメンバー１と第２アウターメンバー２が水平方向で重合する場合に比べおおよそ半分の厚みを考慮するだけでよく水平方向の寸法を大きく（広く）することが可能となる。
【００３５】
第１移動防止ストッパー８と第２移動防止ストッパー９が取り付けられると、それぞれのローラー８０１、８０１が、第１アウターメンバー１の下側の屈折縁１３の端面と第２アウターメンバー２の上側の屈折縁１３の端面の伸長側に位置するから、アウターメンバーは容易には伸長できないとともに、インナーメンバー体７もアウターメンバーに対して容易には伸長できない。このインナーメンバー体７の場合、伸長すると伸長側と反対側のローラー８０１、８０１がアウターメンバーの端面に接触して、容易に伸長することを防止する。
また、本実施例では、上側のローラー８０１、８０１の最上点は、第１アウターメンバー１の屈折縁１３のボール摺動溝１２側より上方に飛び出し、下側のローラー８０１、８０１の最下点は、第２アウターメンバー２の屈折縁２３のボール摺動溝２２側より下方に飛び出すように設定されている。
【００３６】
このように取り付けられた第１移動防止ストッパー８、第２移動防止ストッパー９は次のように作用する。
まず、第１アウターメンバー１を固定側として、第２アウターメンバー２を移動側とした場合、スライドレール１００の最収縮状態（図７に示す状態）で、インナーメンバー体７と第２アウターメンバー２が、ローラー８０１、８０１によって容易に移動できないようになっているのは前述の通りである。
そして、第２アウターメンバー２を伸長させると、第２アウターメンバー２の屈折縁２３の端面が下側のローラー８０１に接触する。さらに移動させると、ローラー８０１は回転しながら上側に押し上げられ、ストッパー本体８０の弾性部８２が該押し上げ力に抗しながら上方に曲がるように弾性変形し、ローラー８０１が第２アウターメンバー２の屈折縁２３の端面を乗り越え、ローラー８０１が第２アウターメンバー２の屈折縁２３の端面から外れるため第２アウターメンバー２は伸長可能となる。
そして、弾性部８２は弾性力によって元の状態に復元する力が働くので、該復元力によってローラー８０１は第２アウターメンバー２の屈折縁２３に上面に押し付けられる（図８に示す状態）。
【００３７】
この下側のローラーが押し上げられた状態で、上側のローラー８０１は、第１アウターメンバー１の屈折縁１３の伸長側端面の前方にさらに飛び出している。
したがって、インナーメンバー体７は、伸長側には摺動可能ではあるが、収縮側には、上側のローラー８０１が第１アウターメンバー１の屈折縁１３の伸長側端面に接触し、かつ、下側ローラー８０１が、屈折縁２３に上面に押し付けられていることから、上側のローラー８０１は下方に移動できないことから、移動できない。
そのため、第２アウターメンバー２を収縮させたとしても、インナーメンバー体７が最収縮状態を超えて収縮方向側に突き出してしまうことがない。
【００３８】
そして、さらに第２アウターメンバー２を伸長させると、屈折縁２３の上面でローラー８０１を転動させながら、第２アウターメンバー２は伸長していく。第２アウターメンバー２が最伸長し第２インナーメンバー４（インナーメンバー体７）が伸長側に押し出される（引っ張られる）と、収縮側の上側のローラー８０１が、第１アウターメンバー１の屈折縁１３の端面に接触し、前述の伸長側の移動防止ストッパー８とは逆に下側に押し下げられる。そして、伸長側の移動防止ストッパー８と同様に弾性部８２が弾性変形し、該ローラー８０１は、屈折縁１３を下側でのり越え、弾性部８２の復元力によって屈折縁１３下面に押し付けられた状態となりインナーメンバー体７は伸長可能となる。
この状態から最伸長している第２アウターメンバー２を伸長させると、屈折縁１３の下面でローラー８０１を転動させながら、インナーメンバー体７が伸長方向に摺動し、スライドレール１００は最大伸長状態となる。
【００３９】
このように、第１アウターメンバー１と第２アウターメンバー２の向かい会う側の屈折縁によってローラーは押圧される。本実施例の場合は、第１アウターメンバー１の下側の屈折縁と向かい合う第２アウターメンバー２の上側の屈折縁がローラーの押圧部であるが、図１１に示す第２実施例の場合は、第１アウターメンバー１の上側の屈折縁と向かい合う第２アウターメンバー２の下側の屈折縁が押圧面として設定される。
【００４０】
次に、スライドレール１００の最大伸長状態から、第２アウターメンバー２を収縮させると、インナーメンバー体７に対して第２アウターメンバー２が収縮し、第１アウターメンバー１に対してインナーメンバー体７も収縮する。
これらの収縮の動きは、スライドレールにかかっている負荷、荷重などにより一定な動きにならず、先に第２アウターメンバー２が収縮することや、インナーメンバー体７が先に収縮することや、第２アウターメンバー２とインナーメンバー体７が同時に収縮する場合がある。    
【００４１】
インナーメンバー体７に対して第２アウターメンバー２が最収縮状態となると、第２アウターメンバー２の屈折縁２３の収縮側の端面が、収縮側の下側のローラー８０１に接触する。この時、インナーメンバー体７が第１アウターメンバー１に対して最収縮状態になっていないと、収縮側の第２移動防止ストッパー９は下方に押し下げられているので、第２アウターメンバー２は、収縮側の下側のローラー８０１を押し上げることが出来ず、第２アウターメンバー２はインナーメンバー体７に対して最収縮状態で停止する（図１０に示す状態）。
【００４２】
インナーメンバー体７が第１アウターメンバー１に対して最収縮状態になっている場合は、収縮側の下側のローラー８０１を押し上げることが可能となるが、下側のローラー８０１の最下点は、第２アウターメンバー２の上側の屈折縁２３のボール摺動溝２２側より下方に飛び出しているから、最収縮状態から前記の伸長方向と逆方向に第２アウターメンバー２を伸長させるには、改めて第２移動防止ストッパー９のローラー８０１を上方に退避させる力が必要となるので、スライドレール１００の伸長状態から収縮の過程で、最収縮状態となった時に屈折縁２３の収縮側の端面が、収縮側の下側のローラー８０１に接触することにより一旦停止させることができる。
【００４３】
一方、第１アウターメンバー１に対してインナーメンバー体７が最収縮状態となると、第１アウターメンバー１の屈折縁１３の伸長側の端面が、伸長側の上側のローラー８０１に接触する。この時、第２アウターメンバー２がインナーメンバー体７に対して最収縮状態になっていないと、伸長側の移動防止ストッパー８は上方に押し上げられているので、図８に示す状態と同じく、第１アウターメンバー１は、伸長側の上側のローラー８０１を押し下げることが出来ず、インナーメンバー体７は第１アウターメンバー１に対して最収縮状態で停止する。したがって、インナーメンバー体７は、前記伸長方向と逆方向側に突出することがない。
第２アウターメンバー２がインナーメンバー体７に対して最収縮状態になっている場合は、伸長側の上側のローラー８０１を押し下げること可能となるが、上側のローラー８０１の最上点は、第１アウターメンバー１の下側の屈折縁２３のボール摺動溝２２側より上方に飛び出しているから、最収縮状態から前記の伸長方向と逆方向にインナーメンバー体７を伸長させるには、改めて移動防止ストッパー８のローラー８０１を下方に退避させる力が必要となるので、スライドレール１００の伸長状態から収縮の過程で、最収縮状態となった時に屈折縁１３の伸長側の端面が、伸長側の上側のローラー８０１に接触することにより一旦停止させることができる。
【００４４】
このように、ローラー８０１のアウターメンバーの屈折縁によって押し上げられる、または、押し下げられる部分である受圧部の最頂部を、屈折縁の押圧面の対向面側に飛び出すように設定すると、ローラー８０１の第１アウターメンバー１あるいは第２アウターメンバー２の屈折縁の端面との係止状態を解除させるためには、屈折縁の端面でローラー８０１の受圧部の最頂部を押圧し、屈折縁の端面から移動防止ストッパー８、９の係止体、すなわちローラー８０１を退避させる必要があるから、移動防止ストッパー８、９の弾性部８２の弾性力に抗して弾性変形させる力が大きく必要となり、前述のようにインナーメンバー体７がアウターメンバーに対して容易には伸長することを防止することが可能となる。
そのため、伸長したスライドレールを収縮させた場合、スライドレールの最収縮状態で一旦停止させることができることになり、例えば、スライドレールに取り付けられた引き出しなど、引き出して開いた状態から収納する場合、収納する時の勢いで反対側に容易に開いてしまうことを防止することが可能となる。
また、最収縮状態に近づいた際、弾性変形していた移動防止ストッパー８、９（弾性部８２）が復元するときの、振動の感触などでスライドレールが最収縮した状態がわかりやすいといった効果もある。
【００４５】
移動防止ストッパー８の弾性部８２の弾性力やローラーの前記の突出量によって、移動防止ストッパーのローラーを退避させる力を変化させることができる。当然ながら弾性力やローラーの突出量を大きくすると、スライドレール１００の最収縮状態からアウターメンバーを伸長させるための力、あるいは、インナーメンバーを伸長させるために力は大きくなり、スライドレール１００の伸長状態から収縮の過程での、最収縮状態となった時の一旦停止させる力は大きくなる。
反対に、弾性力やローラーの突出量を小さくすると、スライドレール１００の最収縮状態からアウターメンバーを伸長させるための力、あるいは、インナーメンバーを伸長させるために力は小さくなり、スライドレール１００の伸長状態から収縮の過程での、最収縮状態となった時の一旦停止させる力も小さくさせることができるので、最収縮状態となった時に一旦停止させることなく反対側に伸長できるようにすることも可能である。
【００４６】
前述の本発明の詳細においては、第１アウターメンバー１を固定側、第２アウターメンバー２を移動側としているが、当然ながら第２アウターメンバー２を固定側、第１アウターメンバー１を移動側とすることもできる。
また、インナーメンバー体７を固定側とすることも可能であり、インナーメンバー体７を固定側とした場合、第１アウターメンバー１、第２アウターメンバー２はそれぞれが別個に前後方向に摺動可能となるが、この場合、いずれかのアウターメンバーが伸長すると移動防止ストッパーが作動し、他方側のアウターメンバーの同方向側の伸長を阻止することになるので、一方側のアウターメンバーしか伸長できない。
そのため、例えば、第１アウターメンバー１と、第２アウターメンバー２にそれぞれに別個の引き出しを取り付けた場合、二つの引き出しが同じ方向に同時に引き出されることを防止するといった使い方が可能となる。
【符号の説明】
【００４７】
１００  スライドレール
１  第１アウターメンバー
１２  ボール摺動溝
１３  屈折縁
２  第２アウターメンバー
２１  基板
２２  ボール摺動溝
２３  屈折縁
３  第１インナーメンバー
４  第２インナーメンバー
５  第１ボールリテーナ
６  第２ボールリテーナ
７  インナーメンバー体
７０  インナーメンバー連結部材
７０１  第１インナーメンバー連結部
７０２  インナーメンバー体補強部
７０３  第２インナーメンバー連結部
８  第１移動防止ストッパー
８０  ストッパー本体
８０１  ローラー
８０１ａ  貫通軸孔
８０２  回転軸
８１  固定部
８１１  脚部
８１１ａ  固定貫通孔
８１２  切り欠き
８２  弾性部
８３  ローラー保持部
８３１  腕部
８３１ａ  固定軸孔
８３２  凹部
９  第２移動防止ストッパー
【図１】
2020130878.tif 000003
【図２】
2020130878.tif 000004
【図３】
2020130878.tif 000005
【図４】
2020130878.tif 000006
【図５】
2020130878.tif 000007
【図６】
2020130878.tif 000008
【図７】
2020130878.tif 000009
【図８】
2020130878.tif 000010
【図９】
2020130878.tif 000011
【図１０】
2020130878.tif 000012
【図１１】
2020130878.tif 000013
【図１２】
2020130878.tif 000014